(57)【要約】【課題】表示窓部を通じて視認可能となる商品表示面の切り替えを容易に行うことができ、作業効率の向上を図ることができる表示切替装置を提供すること。【解決手段】商品に関する情報が表示された商品表示のうち択一的に選択されたものを視認可能にし、かつ必要に応じて視認可能な商品表示を切り替える表示切替装置２０において、対応する商品の商品表示が示された商品表示面２２１ａ，２２２ａを商品毎に有して成り、自身の軸心回りに揺動して表示窓部１０を臨む商品表示面２２１ａ，２２２ａを変更することにより該表示窓部１０を通じて視認可能な商品表示を切り替える切替部材２２を備えたものである。【選択図】        図３
2010145527.tif 000002
【特許請求の範囲】
【請求項１】
商品に関する情報が表示された商品表示のうち択一的に選択されたものを視認可能にし、かつ必要に応じて視認可能な商品表示を切り替える表示切替装置において、
対応する商品の商品表示が示された商品表示面を商品毎に有して成り、自身の軸心回りに揺動して表示窓部を臨む商品表示面を変更することにより該表示窓部を通じて視認可能な商品表示を切り替える切替手段を備えたことを特徴とする表示切替装置。
【請求項２】
前記切替手段が択一的に選択された商品表示が示された商品表示面を前記表示窓部に臨ませた姿勢を保持する姿勢保持手段を備えたことを特徴とする請求項１に記載の表示切替装置。
【請求項３】
前記切替手段は、前記商品表示面のそれぞれが異なる方向を臨む態様で連続して形成されて成ることを特徴とする請求項１又は請求項２に記載の表示切替装置。
【請求項４】
商品に関する情報が表示された商品表示のうち択一的に選択されたものを視認可能にし、かつ必要に応じて視認可能な商品表示を切り替える表示切替装置において、
対応する商品の商品表示が表面及び裏面に示されて成り、自身に形成された突起が装置本体のスリットに進入して該装置本体に常時係合した状態で、表示窓部を臨む面を変更することにより該表示窓部を通じて視認可能な商品表示を切り替える切替手段を備えたことを特徴とする表示切替装置。
【発明の詳細な説明】
【技術分野】
【０００１】
本発明は、表示切替装置に関し、より詳細には、例えば新聞や雑誌等を販売する自動販売機に適用され、商品に関する情報が表示された商品表示のうち択一的に選択されたものを視認可能にし、かつ必要に応じて視認可能な商品表示を切り替える表示切替装置に関するものである。
【背景技術】
【０００２】
従来、例えば缶入り飲料やペットボトル入り飲料等の商品を販売する自動販売機に適用される表示切替装置として、表示器を備えたものが知られている。表示器は、縦断面形状が略Ｌ字状を成しており、外側表面が第１商品表示面及び第２商品表示面とされている。第１商品表示面及び第２商品表示面のそれぞれには、商品の種類等の表示が示されている。このような表示器は、所定の支持部材により支持されており、第１商品表示面及び第２商品表示面のうち択一的に選択されたものが、表示窓部を介して外部から視認可能となっていた。
【０００３】
そして、表示窓部を介して視認可能となる商品表示面を切り替える場合には、支持部材を固定していた固定ネジを取り除くことにより、フリーな状態となった表示器を取り外す。その後、表示要求のある商品表示面が表示窓部を介して視認可能となる態様で表示器が支持部材により支持されることになる（例えば、特許文献１参照）。
【０００４】
【特許文献１】実開平４−５８７８９号公報
【発明の開示】
【発明が解決しようとする課題】
【０００５】
ところで、表示窓部は商品の種類毎にあるのが一般的である。そのため上述したような特許文献１に提案されている表示切替装置のように、表示窓部を介して視認可能になる商品表示面を切り替える場合に、支持部材を固定していた固定ネジを取り除き、しかも表示器を一旦取り外すのでは、手続な煩雑なものとなる。特に、販売する商品が新聞の場合には、朝刊と夕刊とがあるのが一般的である。そのため、所定時間になると商品を入れ替える必要があり、かかる入れ替え時に表示窓部を介して視認可能な商品表示面を切り替える必要があるので、切り替え作業は極めて煩雑なものとなる。
【０００６】
本発明は、上記実情に鑑みて、表示窓部を通じて視認可能となる商品表示面の切り替えを容易に行うことができ、作業効率の向上を図ることができる表示切替装置を提供することを目的とする。
【課題を解決するための手段】
【０００７】
上記目的を達成するために、本発明の請求項１に係る表示切替装置は、商品に関する情報が表示された商品表示のうち択一的に選択されたものを視認可能にし、かつ必要に応じて視認可能な商品表示を切り替える表示切替装置において、対応する商品の商品表示が示された商品表示面を商品毎に有して成り、自身の軸心回りに揺動して表示窓部を臨む商品表示面を変更することにより該表示窓部を通じて視認可能な商品表示を切り替える切替手段を備えたことを特徴とする。
【０００８】
また、本発明の請求項２に係る表示切替装置は、上述した請求項１において、前記切替手段が択一的に選択された商品表示が示された商品表示面を前記表示窓部に臨ませた姿勢を保持する姿勢保持手段を備えたことを特徴とする。
【０００９】
また、本発明の請求項３に係る表示切替装置は、上述した請求項１又は請求項２において、前記切替手段は、前記商品表示面のそれぞれが異なる方向を臨む態様で連続して形成されて成ることを特徴とする。
【００１０】
また、本発明の請求項４に係る表示切替装置は、商品に関する情報が表示された商品表示のうち択一的に選択されたものを視認可能にし、かつ必要に応じて視認可能な商品表示を切り替える表示切替装置において、対応する商品の商品表示が表面及び裏面に示されて成り、自身に形成された突起が装置本体のスリットに進入して該装置本体に常時係合した状態で、表示窓部を臨む面を変更することにより該表示窓部を通じて視認可能な商品表示を切り替える切替手段を備えたことを特徴とする。
【発明の効果】
【００１１】
本発明の表示切替装置によれば、切替手段が、対応する商品の商品表示が示された商品表示面を商品毎に有して成り、自身の軸心回りに揺動して表示窓部を臨む商品表示面を変更することにより該表示窓部を通じて視認可能な商品表示を切り替えるので、従来のように商品表示面を有する表示器を取り外す必要がない。従って、表示窓部を通じて視認可能となる商品表示面の切り替えを容易に行うことができ、作業効率の向上を図ることができるという効果を奏する。
【００１２】
また、本発明の表示切替装置によれば、切替手段が、対応する商品の商品表示が表面及び裏面に示されて成り、自身に形成された突起が装置本体のスリットに進入して該装置本体に常時係合した状態で、表示窓部を臨む面を変更することにより該表示窓部を通じて視認可能な商品表示を切り替えるので、従来のように商品表示面を有する表示器を取り外す必要がない。従って、表示窓部を通じて視認可能となる商品表示面の切り替えを容易に行うことができ、作業効率の向上を図ることができるという効果を奏する。
【発明を実施するための最良の形態】
【００１３】
以下に添付図面を参照して、本発明に係る表示切替装置の好適な実施の形態について詳細に説明する。
【００１４】
＜実施の形態１＞
図１は、本発明の実施の形態１である表示切替装置が適用された自動販売機を示す正面図である。ここで例示する自動販売機は、複数種類の新聞紙を商品として販売するものであり、本体キャビネット１及び外扉２を備えている。
【００１５】
本体キャビネット１は、鋼板を適宜組み合わせて成るもので、前面が開口した箱状のものである。この本体キャビネット１には、図には明示しないが、その内部に複数の新聞収納ラックが上下段に並んでそれぞれ引き出し可能に設けてある。新聞収納ラックは、同一種類の新聞を積層した状態で収納するものである。この新聞収納ラックには、販売指令に応じて新聞を一冊ずつ繰り出して搬出する機能を有している。
【００１６】
外扉２は、鋼板を適宜組み合わせて構成したもので、本体キャビネット１の左側縁部に支承してある。外扉２の右側中程には、ハンドルロック３が配設してあり、外扉２が本体キャビネット１の前面開口を閉成している場合に施錠可能となっている。また、外扉２の右側には、硬貨投入口４、紙幣挿入口５、一体表示器６等の通常自動販売機に設置されているものが設けてある。尚、本明細書においては、「左側」とは自動販売機を正面から見た場合の左方を示し、「右側」とは自動販売機を正面から見た場合の右方を示すものとする。
【００１７】
このような外扉２には、商品取出口７と商品選択部８とが上下方向に沿って複数段設けてある。商品取出口７は、新聞収納ラックから搬出された新聞を取り出すための開口である。商品選択部８は、それぞれ商品取出口７の上方側にあり、図２に示すように、商品選択ボタン９及び表示窓部１０が設けてある。商品選択ボタン９は、商品を選択するためのボタンである。表示窓部１０は、左右方向が長手方向となる長孔が形成されて成る窓であり、外扉２の背面側に設置された表示切替装置２０により示される商品表示を視認可能にするためのものである。
【００１８】
図３〜図６は、それぞれ本発明の実施の形態１である表示切替装置２０を示すものであり、図３は、左側前方から見た斜視図、図４は、右側後方から見た斜視図、図５は、左側後方から見た斜視図、図６は、外扉２の背面側に取り付けられた状態を示す断面側面図である。ここで例示する表示切替装置２０は、外扉２の背面側において表示窓部１０のそれぞれに対応して複数設けてある。この表示切替装置２０は、装置本体２１と、切替部材（切替手段）２２と、保持部材（姿勢保持手段）２３とを備えて構成してある。
【００１９】
装置本体２１は、表示切替装置２０の枠体を構成するものであり、上面、下面及び背面が開口した直方状を成し、前面にも表示用開口２１１が形成してある。かかる表示用開口２１１を形成する前方下縁部２１２は、左右方向に沿って延在する長尺状のものであり、かかる前方下縁部２１２には、締結部材が貫通する貫通孔２１３が形成された取付片２１４が設けてある。この取付片２１４の貫通孔２１３を貫通する態様で固定部材を外扉２の背面側に固定することにより、図６に示すように、表示切替装置２０は、自身の表示用開口２１１が表示窓部１０に一致する態様で外扉２の背面側に取り付けられることになる。つまり、装置本体２１の前面、前方下縁部２１２等は、外扉２の背面に当接することになる。
【００２０】
切替部材２２は、平板状の鋼板を適宜切削及び屈曲させて構成したものであり、第１商品表示部２２１、第２商品表示部２２２、前後延在部２２３、下縁折返部２２４及び上縁折返部２２５を備えて構成してある。
【００２１】
第１商品表示部２２１は、前面に商品情報、例えば商品の種類や価格に関する商品情報が示された第１商品表示面２２１ａを有している。本実施の形態１においては、第１商品表示面２２１ａには、「朝刊○○新聞１３０円」と示されているものとする。この第１商品表示部２２１は、装置本体２１の幅よりも僅かに小さい幅を有しており、第１商品表示面２２１ａに示される商品表示は、装置本体２１の表示用開口２１１を通じて前方より視認可能となる大きさに調整してある。
【００２２】
第２商品表示部２２２は、第１商品表示部２２１に連続し、かつ第１商品表示部２２１との境界が屈曲されて形成された部位である。この第２商品表示部２２２は、前面に商品情報、例えば商品の種類や価格に関する商品情報が示された第２商品表示面２２２ａを有している。つまり、切替部材２２においては、第１商品表示面２２１ａ及び第２商品表示面２２２ａは、それぞれが異なる方向を臨む態様で連続して形成してある。本実施の形態１においては、第２商品表示面２２２ａには、「夕刊○○新聞６０円」と示されているものとする。第２商品表示部２２２は、第１商品表示部２２１と同等の幅を有しており、第２商品表示面２２２ａに示される商品表示は、装置本体２１の表示用開口２１１を通じて前方より視認可能となる大きさに調整してある。
【００２３】
このように切替部材２２は、対応する商品の商品表示が示された商品表示面２２１ａ，２２２ａを商品毎、朝刊及び夕刊毎に有して成るものである。
【００２４】
前後延在部２２３は、第１商品表示部２２１の両側部から後方に向けて延在するものである。この前後延在部２２３には、貫通孔（図示せず）が形成してあり、装置本体２１の側面を貫通する態様で取り付けられたネジ部材１１が上記貫通孔を貫通することにより、切替部材２２は、装置本体２１にネジ部材１１の中心軸を自身の軸心としてその軸心回りに揺動可能に取り付けられている。
【００２５】
下縁折返部２２４は、第１商品表示部２２１の下端部を折り返されることにより第１商品表示部２２１の下端縁部より後方側に向けて延在する部位である。上縁折返部２２５は、第２商品表示部２２２の上端部を折り返されることにより第２商品表示部２２２の上端縁部より後方側に向けて延在する部位である。
【００２６】
保持部材２３は、装置本体２１の例えば左方側において上下に取り付けてある。上側保持部材２３１は、装置本体２１の左側面における上端の折返部位２１ａに固定ネジ１２により取り付けてある。上側保持部材２３１は、前方に向かうに連れて斜め上方に延在しており、その下面にはマグネット２３１ａが取り付けてある。
【００２７】
下側保持部材２３２は、装置本体２１の左側面における下端の折返部位２１に固定ネジ１２により取り付けてある。下側保持部材２３２は、前方に向かうに連れて斜め下方に延在しており、その上面にはマグネット２３２ａが取り付けてある。
【００２８】
このような構成を有する表示切替装置２０では、次のようにして商品表示を切り替えることができる。まず、図３〜図６に示すように、上側保持部材２３１のマグネット２３１ａが切替部材２２の上縁折返部２２５に磁力により結合している場合には、第１商品表示部２２１の第１商品表示面２２１ａが表示用開口２１１を通じて表示窓部１０を臨み、これにより第１商品表示面２２１ａに示された商品表示（「朝刊○○新聞１３０円」）が表示窓部１０を通じて自動販売機の正面より視認可能になっている。
【００２９】
そして、該当する新聞収納ラックの商品（新聞）を例えば朝刊から夕刊に入れ替えたことにより、商品表示を切り替える必要がある場合には、上側保持部材２３１のマグネット２３１ａと切替部材２２の上縁折返部２２５との磁力による結合を解除させる。これにより切替部材２２は、フリーな状態になる。このようにフリーな状態になる切替部材２２を自身の軸心回りに下方に向けて揺動させると、切替部材２２の下縁折返部２２４が下側保持部材２３２のマグネット２３２ａに当接し、該マグネット２３２ａと磁力により結合することになる。このように下縁折返部２２４が下側保持部材２３２と磁力により結合することにより、図７に示すように、第２商品表示部２２２の第２商品表示面２２２ａが表示用開口２１１を通じて表示窓部１０を臨み、これにより第２商品表示面２２２ａに示された商品表示（「夕刊○○新聞６０円」）が表示窓部１０を通じて自動販売機の正面より視認可能になる。
【００３０】
一方、該当する新聞収納ラックの商品（新聞）を例えば夕刊から朝刊に入れ替えたことにより、商品表示を切り替える必要がある場合には、下側保持部材２３２のマグネット２３２ａと切替部材２２の下縁折返部２２４との磁力による結合を解除させる。これにより切替部材２２は、フリーな状態になる。このようにフリーな状態になる切替部材２２を自身の軸心回りに上方に向けて揺動させると、切替部材２２の上縁折返部２２５が上側保持部材２３１のマグネット２３１ａに当接し、該マグネット２３１ａと磁力により結合することになる。このように上縁折返部２２５が上側保持部材２３１と磁力により結合することにより、図６に示すように、第１商品表示部２２１の第１商品表示面２２１ａが表示用開口２１１を通じて表示窓部１０を臨み、これにより第１商品表示面２２１ａに示された商品表示（「朝刊○○新聞１３０円」）が表示窓部１０を通じて自動販売機の正面より視認可能になる。
【００３１】
以上説明したように本実施の形態１である表示切替装置２０によれば、切替部材２２が、対応する商品の商品表示が示された商品表示面を朝刊及び夕刊毎に有して成り、自身の軸心回りに揺動して表示窓部１０を臨む商品表示面を変更することにより該表示窓部１０を通じて視認可能な商品表示を切り替えるので、従来のように商品表示面を有する部材を取り外す必要がない。従って、表示窓部１０を通じて視認可能となる商品表示面２２１ａ，２２２ａの切り替えを容易に行うことができ、作業効率の向上を図ることができる。
【００３２】
また、上記表示切替装置２０によれば、保持部材２３が、切替部材２２が択一的に選択された商品表示が示された商品表示面（第１商品表示面２２１ａ又は第２商品表示面２２２ａ）を表示窓部１０に臨ませた姿勢を磁力による結合で保持するので、切替時には切替部材２２の下縁折返部２２４又は上縁折返部２２５を保持部材２３のマグネット２３１ａ，２３２ａに当接させるだけでよく、作業手続が簡単なものにすることができる。
【００３３】
＜実施の形態２＞
図８及び図９は、それぞれ本発明の実施の形態２である表示切替装置を示すものであり、図８は、右側前方から見た斜視図、図９は、外扉２の背面側に取り付けられた状態を示す断面側面図である。尚、上述した実施の形態１である表示切替装置２０及び自動販売機と同一の構成を有するものには同一の符号を付してその説明を省略する。
【００３４】
ここで例示する表示切替装置３０は、装置本体３１と、切替部材（切替手段）３２とを備えて構成してある。
【００３５】
装置本体３１は、表示切替装置３０の枠体を構成するものであり、前面に表示用開口３１１が設けてある。この装置本体３１の側面には、その下端部に左右方向に延在する態様で取付片３１２が設けてある。この取付片３１２には、貫通孔３１３が形成してあり、かかる貫通孔３１３を貫通する態様で固定部材を外扉２の背面側に固定することにより、図９に示すように、表示切替装置３０は、自身の表示用開口３１１が表示窓部１０に一致する態様で外扉２の背面側に取り付けられることになる。
【００３６】
切替部材３２は、平板状のプレートであり、第１商品表示面３２１及び第２商品表示面３２２を備えている。
【００３７】
第１商品表示面３２１は、切替部材３２の表面を成しており、商品情報、例えば商品の種類や価格に関する商品情報が示している。本実施の形態２においては、第１商品表示面３２１には、「朝刊○○新聞１３０円」と示されているものとする。第２商品表示面３２２は、切替部材３２の裏面を成しており、商品情報、例えば商品の種類や価格に関する商品情報が示している。本実施の形態２においては、第２商品表示面３２２には、図には明示していないが、「夕刊○○新聞６０円」と示されているものとする。ここで第２商品表示面３２２の商品表示は、第１商品表示面３２１の商品表示と上下方向が反転している。このように切替部材３２は、対応する商品の商品表示が示された商品表示面３２１，３２２を商品毎、朝刊及び夕刊毎に有して成るものである。
【００３８】
上記構成を有する切替部材３２の両側部には、側方に向けて突出する係合突起３２３が形成してある。かかる係合突起３２３は、装置本体３１の形成された上下方向に延在するスリット３１４に進入している。これにより切替部材３２は、装置本体３１に係合している。また、装置本体３１には、図には明示していないが、切替部材３２を後方から支えるための支持片が設けてある。
【００３９】
このような構成を有する表示切替装置３０では、次のようにして商品表示を切り替えることができる。まず、図８及び図９に示すように、係合突起３２３がスリット３１４の下方側に進入した状態で切替部材３２が装置本体３１に係合している場合には、第１商品表示面３２１が表示用開口３１１を通じて表示窓部１０を臨み、これにより第１商品表示面３２１に示された商品表示（「朝刊○○新聞１３０円」）が表示窓部１０を通じて自動販売機の正面より視認可能になっている。
【００４０】
そして、該当する新聞収納ラックの商品（新聞）を例えば朝刊から夕刊に入れ替えたことにより、商品表示を切り替える必要がある場合には、図１０に示すように、切替部材３２の上端部、すなわち第１商品表示面３２１の上端部をスリット３１４から後方側に離脱させて第１商品表示面３２１が上方を臨む水平姿勢にする。このとき、係合突起３２３はスリット３１４に進入しており、スリット３１４の上方側に位置することになる。その後、図１１に示すように、かかる水平姿勢で下方を臨む第２商品表示面３２２が前面となるよう、係合突起３２３を中心として切替部材３２を下方に揺動させる。その結果、係合突起３２３がスリット３１４の上方側に進入した状態で第２商品表示面３２２が表示用開口３１１を通じて表示窓部１０を臨み、これにより第２商品表示面３２２に示された商品表示（「夕刊○○新聞６０円」）が表示窓部１０を通じて自動販売機の正面より視認可能になっている。
【００４１】
一方、該当する新聞収納ラックの商品（新聞）を例えば夕刊から朝刊に入れ替えたことにより、商品表示を切り替える必要がある場合には、切替部材３２の下端部、すなわち第２商品表示面３２２の下端部をスリット３１４から後方側に離脱させて第１商品表示面３２１が上方を臨む水平姿勢にする。このとき、係合突起３２３はスリット３１４に進入しており、スリット３１４の上方側に位置することになる。その後、切替部材３２を、水平姿勢を保持したまま下方に移動させる。これにより係合突起３２３はスリット３１４内を移動し、スリット３１４の下方側に位置することになる。そして、かかる水平姿勢で上方を臨む第１商品表示面３２１が前面となるよう、係合突起３２３を中心として切替部材３２を上方に揺動させる。その結果、係合突起３２３がスリット３１４の下方側に進入した状態で第１商品表示面３２１が表示用開口３１１を通じて表示窓部１０を臨み、これにより第１商品表示面３２１に示された商品表示（「朝刊○○新聞１３０円」）が表示窓部１０を通じて自動販売機の正面より視認可能になっている。このように本実施の形態２においては、切替部材３２の係合突起３２３が常にスリット３１４に進入しており、これにより切替部材３２は、切替時だけでなく常時装置本体３１に係合している。
【００４２】
以上説明したように本実施の形態２である表示切替装置３０によれば、切替部材３２が、対応する商品の商品表示が表面（第１商品表示面３２１）及び裏面（第２商品表示面３２２）にそれぞれ示されており、自身に形成された係合突起３２３が装置本体３１のスリット３１４に進入して該装置本体３１に常時係合した状態で、表示窓部１０を臨む面を変更することにより該表示窓部１０を通じて視認可能な商品表示を切り替えるので、従来のように商品表示面を有する部材を取り外す必要がない。従って、表示窓部１０を通じて視認可能となる商品表示面３２１，３２２の切り替えを容易に行うことができ、作業効率の向上を図ることができる。
【００４３】
以上、本発明の好適な実施の形態１及び２について説明したが、本発明はこれらに限定されるものではなく種々の変更を行うことができる。例えば、上述した実施の形態１及び２では、商品表示の例として商品名及び価格を示したが、本発明では商品名だけでもよいし、商品名の略称等であってもよい。
【００４４】
また、上述した実施の形態１では、切替部材２２が屈曲されて成るものであったが、第１商品表示面２２１ａと第２商品表示面２２２ａとは、互いに共通の円周面上に形成されたものであっても構わない。
【図面の簡単な説明】
【００４５】
【図１】本発明の実施の形態１である表示切替装置が適用された自動販売機を示す正面図である。
【図２】図１に示した外扉の要部を拡大して示す拡大正面図である。
【図３】本発明の実施の形態１である表示切替装置を示すものであり、左側前方から見た斜視図である。
【図４】本発明の実施の形態１である表示切替装置を示すものであり、右側後方から見た斜視図である。
【図５】本発明の実施の形態１である表示切替装置を示すものであり、左側後方から見た斜視図である。
【図６】図３〜図５に示した表示切替装置が外扉の背面側に取り付けられた状態を示す断面側面図である。
【図７】図３〜図５に示した表示切替装置が外扉の背面側に取り付けられた状態を示す断面側面図である。
【図８】本発明の実施の形態２である表示切替装置を示すものであり、右側前方から見た斜視図である。
【図９】図８に示した表示切替装置が外扉の背面側に取り付けられた状態を示す断面側面図である。
【図１０】図８に示した表示切替装置が外扉の背面側に取り付けられた状態を示す断面側面図である。
【図１１】図８に示した表示切替装置が外扉の背面側に取り付けられた状態を示す断面側面図である。
【符号の説明】
【００４６】
１０      表示窓部
１１      ネジ部材
２０      表示切替装置
２１      装置本体
２１１      表示用開口
２２      切替部材
２２１      第１商品表示部
２２１ａ    第１商品表示面
２２２      第２商品表示部
２２２ａ    第２商品表示面
２２３      前後延在部
２２４      下縁折返部
２２５      上縁折返部
２３      保持部材
２３１      上側保持部材
２３１ａ    マグネット
２３２      下側保持部材
２３２ａ    マグネット
３０      表示切替装置
３１      装置本体
３１１      表示用開口
３１４      スリット
３２      切替部材
３２１      第１表示面
３２２      第２表示面
３２３      係合突起
【図１】
2010145527.tif 000003
【図２】
2010145527.tif 000004
【図３】
2010145527.tif 000005
【図４】
2010145527.tif 000006
【図５】
2010145527.tif 000007
【図６】
2010145527.tif 000008
【図７】
2010145527.tif 000009
【図８】
2010145527.tif 000010
【図９】
2010145527.tif 000011
【図１０】
2010145527.tif 000012
【図１１】
2010145527.tif 000013